(57)【要約】【課題】複数の感圧素子を配列してなる荷重分布計測装置において、持ち運び容易な構成を実現する。【解決手段】複数の感圧素子がＮ行Ｍ列（Ｎ、Ｍは２以上の整数）に配列された荷重分布計測装置１１０であって、平坦面に設置された状態で、前記配列された各感圧素子の表面が同一平面を形成するように各感圧素子の裏面を支持する支持部材１１２を有し、前記支持部材１１２は、Ｎ行ｍ列（ｍは、１≦ｍ≦Ｍの整数）の感圧素子を支持するブロックに分かれており、隣り合うブロックが、可動機構４０３により接続されていることを特徴とする。【選択図】図４
2014016168.tif 000002
【特許請求の範囲】
【請求項１】
複数の感圧素子がＮ行Ｍ列（Ｎ、Ｍは２以上の整数）に配列された荷重分布計測装置であって、
平坦面に設置された状態で、前記配列された各感圧素子の表面が同一平面を形成するように各感圧素子の裏面を支持する支持部材を有し、
前記支持部材は、Ｎ行ｍ列（ｍは、１≦ｍ≦Ｍを満たす整数）の感圧素子を支持するブロックに分かれており、隣り合うブロックが、可動機構により接続されていることを特徴とする荷重分布計測装置。
【請求項２】
前記ブロックは、
Ｎ行ｍ列の前記感圧素子の面積に等しい面積を有し、Ｎ行ｍ列の前記感圧素子の裏面を支持する第１の面と、
前記支持部材が前記平坦面に設置された状態で、該平坦面に接触する第２の面と、を有し、
前記支持部材が前記平坦面に設置された状態で、隣り合うブロック間に隙間が形成されるよう、前記第２の面は、前記第１の面よりも小さい面積により構成されており、かつ
前記隣り合うブロックは、前記第１の面の端部において回動可能に接続されていることを特徴とする請求項１に記載の荷重分布計測装置。
【請求項３】
前記ブロックは、
Ｎ行ｍ列の前記感圧素子の面積に等しい面積を有し、Ｎ行ｍ列の前記感圧素子の裏面を支持する第１の面と、
前記支持部材が前記平坦面に設置された状態で、前記平坦面に接触する面であって、その一部が隣接するブロックの下方に位置する第２の面と、を有し、
前記支持部材が前記平坦面に設置された状態で、隣り合うブロック間に隙間が形成されるよう、前記第２の面は、前記第１の面よりも小さい面積により構成されており、かつ
前記隣り合うブロックは、前記第１の面と前記第２の面との間の位置において互いが回動可能に接続されており、
前記ブロックは、更に、前記隣り合うブロックの回動範囲を制限する第３の面を備えることを特徴とする請求項１に記載の荷重分布計測装置。
【請求項４】
前記支持部材は、それぞれが、Ｎ行ｍ’列（ｍ’は、２≦ｍ’を満たす整数で、Ｍの約数）の感圧素子を支持するブロックに分かれていることを特徴とする請求項１に記載の荷重分布計測装置。
【請求項５】
前記隣り合うブロックは、平行リンク機構により接続されていることを特徴とする請求項４に記載の荷重分布計測装置。
【請求項６】
前記支持部材は、
それぞれが、Ｎ行Ｍ／２列の感圧素子を支持する２つのブロックに分かれており、
第１のブロックが支持する感圧素子のうち、第２のブロックが支持する感圧素子に隣接している感圧素子の表面端部を回動中心とするヒンジ機構もしくは端部を折り曲げ位置とする可塑材を有することを特徴とする請求項４に記載の荷重分布計測装置。
【請求項７】
請求項１乃至６のいずれか１項に記載の荷重分布計測装置と、
前記荷重分布計測装置と接続され、前記感圧素子の出力に基づいて、荷重分布を算出する情報処理装置と
を備えることを特徴とする荷重分布計測システム。
【発明の詳細な説明】
【技術分野】
【０００１】
本発明は、被検者の荷重分布を可視化する荷重分布計測システム、及び荷重分布計測装置に関するものである。
【背景技術】
【０００２】
脳卒中などの脳神経系疾患を発症し、右片または左片が麻痺した患者に対しては、従来より、理学療法士等の指導／監視のもとで、運動機能回復訓練が行われてきた。一般的に、自立的な生活を営むためには、下肢機能の回復が不可欠であることから、理学療法士等は、訓練時に患者の下肢機能の回復状態を適確に判断することが必要となってくる。このため、運動機能回復訓練に際しては、患者の足圧分布等の計測を行い、下肢機能の回復状態を定量的に評価することが望ましい。
【０００３】
一方で、被検者の足圧分布を計測し可視化するシステムとして、従来より、感圧素子がマトリックス状に配列されたセンサ部を備える足圧分布計測システムが用いられてきた。足圧分布計測システムによれば、被検者がセンサ部に乗った状態における足圧分布を、リアルタイムで視認することができる。
【０００４】
そして、当該システムを応用することにより、座った状態における被検者の座圧分布や、横臥した状態における被検者の体圧分布等をリアルタイムに表示させることも可能である。なお、以下、本明細書では、足圧分布や座圧分布、体圧分布等をまとめて、“荷重分布”と称するとともに、荷重分布を計測し可視化するシステムを“荷重分布計測システム”と称することとする。
【先行技術文献】
【特許文献】
【０００５】
【特許文献１】特許第２７６０４７４号公報
【発明の概要】
【発明が解決しようとする課題】
【０００６】
しかしながら、上述のような荷重分布計測システムを運動機能回復訓練等を行う医療現場に適用しようとした場合、センサ部は、被検者の計測部位（足圧分布を計測する場合には両足部、座圧分布を計測する場合には臀部、体圧分布を計測する場合には胴体部）を載置するだけの大きさを有していることが不可欠となってくる。
【０００７】
一方で、荷重分布を精度よく計測するためには、各感圧素子の表面が同一平面を形成するように構成されていることが重要である。このため、センサ部において、各感圧素子は平坦な板状部材等の基台に取り付けられていることが望ましい。
【０００８】
しかしながら、このような構成として場合、センサ部は、被検者の計測部位に応じた大きさの板状形状を有することとなり、持ち運びに不便となる。特に、下肢機能が低下している患者の近傍までセンサ部を運びこみ、該患者が乗り降りしやすい位置に設置したうえで計測を行う、上記運動機能回復訓練等を行う医療現場においては、このようなセンサ部の構成では、著しく利便性に欠けることとなる。
【０００９】
このようなことから、荷重分布計測システムを医療現場に適用するにあたっては、持ち運び容易な構成を有していることが望ましい。
【００１０】
本発明は上記課題に鑑みてなされたものであり、複数の感圧素子を配列してなる荷重分布計測装置において、持ち運び容易な構成を実現することを目的とする。
【課題を解決するための手段】
【００１１】
上記の目的を達成するために、本発明に係る荷重分布計測装置は以下のような構成を備える。即ち、
複数の感圧素子がＮ行Ｍ列（Ｎ、Ｍは２以上の整数）に配列された荷重分布計測装置であって、
平坦面に設置された状態で、前記配列された各感圧素子の表面が同一平面を形成するように各感圧素子の裏面を支持する支持部材を有し、
前記支持部材は、Ｎ行ｍ列（ｍは、１≦ｍ≦Ｍの整数）の感圧素子を支持するブロックに分かれており、隣り合うブロックが、可動機構により接続されていることを特徴とする。
【発明の効果】
【００１２】
本発明によれば、複数の感圧素子を配列してなる荷重分布計測装置において、持ち運び容易な構成を実現することができる。
【図面の簡単な説明】
【００１３】
【図１】本発明の第１の実施形態に係る荷重分布計測装置を備える荷重分布計測システムの外観構成を示す図である。
【図２】荷重分布計測システムの機能構成を示す図である。
【図３】足圧分布の一表示例を示す図である。
【図４】第１の実施形態に係る荷重分布計測装置の詳細構成を説明するための図である。
【図５】第２の実施形態に係る荷重分布計測装置の詳細構成を説明するための図である。
【図６】第３の実施形態に係る荷重分布計測装置の詳細構成を説明するための図である。
【図７Ａ】第４の実施形態に係る荷重分布計測装置の詳細構成を説明するための図である。
【図７Ｂ】第４の実施形態に係る荷重分布計測装置の詳細構成を説明するための図である。
【図８Ａ】第５の実施形態に係る荷重分布計測装置の詳細構成を説明するための図である。
【図８Ｂ】第５の実施形態に係る荷重分布計測装置の詳細構成を説明するための図である。
【発明を実施するための形態】
【００１４】
以下、本発明の各実施形態について図面を参照しながら説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
［第１の実施形態］
＜１．荷重分布計測システムの外観構成＞
図１は、本発明の第１の実施形態に係る荷重分布計測装置１１０を備える荷重分布計測システム１００の外観構成の一例を示す図である。なお、本実施形態では、荷重分布計測システム１００を用いて被検者（患者）の足圧分布を計測する場合について説明する。
【００１６】
図１において、１１０は荷重分布計測装置であり、荷重分布検出センサ部１１１と支持部材１１２とを備える。
【００１７】
荷重分布検出センサ部１１１は、複数の感圧素子（例えば、導電性ゴム）が２次元に配列されており、直立した被検者が両足を乗せた場合に、被検者の両足の足圧分布を可視化するための足圧データを所定の周期で計測し、出力する。なお、本実施形態において、感圧素子は、Ｎ行Ｍ列（縦方向にＮ個、横方向にＭ個）配列されているものとする。
【００１８】
支持部材１１２は、床等の平坦面に設置された状態で、２次元に配列された複数の感圧素子の表面が同一平面を形成するように、荷重分布検出センサ部１１１の下方において、該複数の感圧素子の裏面を支持する。このように、複数の感圧素子の表面が同一平面を形成することで、被検者の足圧分布を精度よく計測することができる。
【００１９】
１２０は情報処理装置であり、足圧分布計測処理時に、荷重分布検出センサ部１１１において計測された足圧データ（計測結果）をケーブル１３０を介して取得し、足圧分布表示を行う。
【００２０】
なお、以下では、荷重分布検出センサ部１１１を構成する複数の感圧素子それぞれにおいて計測されたデータを「足圧データ」と称し、感圧素子の数に応じた数の足圧データ群を「足圧分布算出用データ」と称する。また、当該足圧分布算出用データを用いて算出された、足圧分布を表示するためのデータを「足圧分布データ」と称することとする。
【００２１】
＜２．荷重分布計測システムを構成する情報処理装置の機能構成＞
次に、情報処理装置１２０の機能構成について説明する。図２は、荷重分布計測システム１００を構成する情報処理装置１２０の機能構成を示す図である。図２に示すように、情報処理装置１２０は、制御部（コンピュータ）２０１と、メモリ部２０２と、記憶部２０３と、表示部２０４と、入力部２０５と、外部機器Ｉ／Ｆ部２０６とを備え、各部は、バス２０７を介して接続されている。
【００２２】
記憶部２０３には、制御部２０１により実行されることにより、荷重分布計測部２１１として機能するプログラムが格納されている。当該プログラムは、制御部２０１による制御のもと、ワークエリアとして機能するメモリ部２０２に適宜読み込まれ、制御部２０１によって実行されることで、荷重分布計測機能を実現する。なお、制御部２０１によって、荷重分布計測部２１１として機能する当該プログラムが実行されることにより取得される足圧分布算出用データ２１２は、記憶部２０３に格納される。
【００２３】
表示部２０４は、制御部２０１に当該プログラムの実行を指示するためのユーザインタフェースを表示したり、取得した足圧分布算出用データ２１２に基づいて生成された足圧分布データの表示を行ったりする。図３は、表示部２０４に表示された足圧分布データの一表示例を示す図である。
【００２４】
入力部２０５は、当該プログラムの実行指示を入力したりする。外部機器Ｉ／Ｆ部２０６は、荷重分布検出センサ部１１１において計測された足圧分布算出用データを情報処理装置１２０内に取り込むためのＩ／Ｆである。
【００２５】
＜３．荷重分布計測装置の構成＞
次に、荷重分布計測装置１１０の構成について説明する。図４は、荷重分布計測装置１１０の詳細構成を説明するための図である。
【００２６】
図４（ａ）に示すように、荷重分布計測装置１１０は、床等の平坦面に設置された状態で、各感圧素子の表面が同一平面を形成するように構成されている一方で、図４（ｂ）に示すように、床等の平坦面に設置されていない状態では、筒状に丸めることができる構成となっている。
【００２７】
図４（ｃ）を用いて具体的に説明する。図４（ｃ）は、図４（ａ）に示す荷重分布計測装置１１０の一部（点線部分）を拡大して表示した様子を示している。図４（ｃ）の上段に示すように、荷重分布計測装置１１０の支持部材１１２は、各感圧素子の幅に対応する幅のブロックにより形成されている。
【００２８】
各ブロックは、それぞれ、横方向に１つの感圧素子を支持しており、縦方向に、荷重分布計測装置１１０の縦方向のすべての感圧素子（Ｍ個の感圧素子）を支持している。つまり、各ブロックは、それぞれ、Ｎ行１列分の感圧素子を支持している。
【００２９】
また、各ブロックは、床等の平坦面に接触する第２の面（４０２）の幅が、感圧素子を支持する第１の面の幅（４０１）よりも短くなるように形成されている。つまり、第１の面（４０１）は、Ｎ行１列分の感圧素子の面積に等しい面積を有している一方で、第２の面（４０２）は、第１の面（４０１）よりも小さい面積となるように形成されている。この結果、支持部材１１２は隣り合うブロックの間に隙間が設けられることとなる。
【００３０】
また、隣り合うブロックは、互いに第１の面（４０１）近傍においてヒンジ機構（可動機構）４０３を介して回動可能に接続されている。このため、理学療法士等が各ブロックを曲げていくと、図４（ｃ）の下段に示すように、隣り合うブロック間の隙間がなくなり、隣り合うブロックの側面が接触するまで、各ブロックが回動することとなる。この結果、図４（ｂ）に示すように、荷重分布計測装置１１０を筒状に丸めることができる。つまり、持ち運び容易な荷重分布計測装置１１０を実現することができる。
【００３１】
［第２の実施形態］
上記第１の実施形態の支持部材では、各ブロックを曲げていく方向に関しては、各ブロックの回動範囲に制限を設ける構成としていたが、各ブロックを伸ばしていく方向に関しては、各ブロックの回動範囲に特に制限を設けていなかった。しかしながら、本発明はこれに限定されず、各ブロックを伸ばしていく方向に関しても、回動範囲に制限を設けるように構成してもよい。つまり、各感圧素子の表面が同一平面を形成する位置において、隣り合うブロックが接触し、各ブロック間の回動が停止するように構成してもよい。
【００３２】
図５は、本実施形態に係る荷重分布計測装置５１０の詳細構成を説明するための図である。
【００３３】
図５（ａ）に示すように、荷重分布計測装置５１０は、床等の平坦面に設置された状態で、各感圧素子の表面が同一平面を形成するように構成されている一方で、図５（ｂ）に示すように、床等の平坦面に設置されていない状態では、筒状に丸めることができる構成となっている。
【００３４】
図５（ｃ）を用いて具体的に説明する。図５（ｃ）は、図５（ａ）に示す荷重分布計測装置５１０の一部（点線部分）を拡大して表示した様子を示している。図５（ｃ）の上段に示すように、荷重分布計測装置５１０の支持部材５１２は、各感圧素子の幅に対応する幅のブロックにより形成されている。
【００３５】
各ブロックは、それぞれ、横方向に１つの感圧素子を支持しており、縦方向に、荷重分布計測装置５１０の縦方向のすべての感圧素子（Ｍ個の感圧素子）を支持している。つまり、各ブロックは、それぞれ、Ｎ行１列分の感圧素子を支持している。
【００３６】
また、各ブロックは、床等の平坦面に接触する第２の面（５０２）の幅が、感圧素子を支持する第１の面の幅（５０１）よりも短くなるように形成されている。つまり、第１の面（５０１）は、Ｎ行１列分の感圧素子の面積に等しい面積を有している一方で、第２の面（５０２）は、第１の面（５０１）よりも小さい面積となるように形成されている。この結果、支持部材５１２は隣り合うブロックとの間に隙間が設けられることとなる。
【００３７】
更に、各ブロックは、感圧素子の下方において第１の面（５０１）に平行に形成された第３の面（５０３）と、隣接するブロックの感圧素子の下方において第１の面（５０１）に平行に形成された第４の面（５０４）とを備える。また、第３の面（５０３）と隣接するブロックの第４の面（５０４）との間は、ヒンジ機構（可動機構）５０５を介して回動可能に接続されている。このため、理学療法士等が各ブロックを曲げていくと、図５（ｃ）の下段に示すように、ヒンジ機構５０５の下方に設けられた隙間が小さくなり、隣り合うブロックの側面が接触するまで、各ブロックが回動することとなる。この結果、図５（ｂ）に示すように、荷重分布計測装置５１０を筒状に丸めることができる。
【００３８】
反対に、曲げられた各ブロックを伸ばしていき、筒状に丸められた荷重分布計測装置５１０を平らにしていくと、各ブロックの第３の面（５０３）が、隣接するブロックの第４の面（５０４）に接触するため、回動が停止する。上述したように、第３の面（５０３）及び第４の面（５０４）は、第１の面（５０１）と平行に形成されているため、第３の面（５０３）が、隣接するブロックの第４の面（５０４）に接触した状態においては、各ブロックの第１の面（５０１）により同一平面が形成されるため、各感圧素子の表面も同一平面を形成することとなる。
【００３９】
このように、本実施形態によれば、筒状に丸めることで、持ち運び容易な荷重分布計測装置を実現できるとともに、各感圧素子の表面が同一平面を形成した状態を維持することが可能な荷重分布計測装置を実現することができる。
【００４０】
［第３の実施形態］
上記第１及び第２の実施形態では、各ブロックが支持する感圧素子の横方向の数を１とした（つまり、各ブロックは、Ｎ行１列分の感圧素子を支持する構成とした）が、本発明はこれに限定されず、例えば、複数列の感圧素子を支持する構成としてもよい。
【００４１】
具体的には、各ブロックがＮ行ｍ列の感圧素子を支持する構成としてもよい（ただし、ｍは２≦ｍ≦Ｍを満たす整数）。図６（ａ）、（ｂ）は、一例として、それぞれ、上記第１及び第２の実施形態において示した荷重分布計測装置を、ｍ＝２に変形した場合の荷重分布計測装置１１０’、５１０’を示している。
【００４２】
図６に示すように、各ブロックがＮ行２列分の感圧素子を支持する構成とした場合であっても、上記第１及び第２の実施形態と同様の効果を得ることができる。
【００４３】
なお、上記第１及び第２の実施形態では、各ブロックが支持する感圧素子の横方向の数を同じにする構成としたが、本発明はこれに限定されず、各ブロックが支持する感圧素子の横方向の数は、それぞれのブロックごとに異なる構成としてもよい。
【００４４】
例えば、荷重分布計測装置の中央付近のブロックが支持する感圧素子の横方向の数を１とし、端部付近のブロックが支持する感圧素子の横方向の数をｍ（ｍは２≦ｍ≦Ｍを満たす整数）としてもよい。この場合、荷重分布計測装置をコの字状に折り曲げられることとなる。
【００４５】
［第４の実施形態］
上記第３の実施形態では、各ブロックがＮ行ｍ列の感圧素子を支持する構成とするとともに、隣接するブロック間を、荷重分布計測装置の縦方向に平行な回動軸により回動可能に接続する構成とすることで、荷重分布計測装置を丸める、または折り曲げる構成としたが、本発明はこれに限定されない。
【００４６】
例えば、各ブロックが支持する感圧素子の横方向の数をすべてｍ’（ｍ’は、２≦ｍ’≦Ｍを満たすＭの約数）としたうえで、各ブロックの側面を完全に分離し、各ブロックが互いに重ね合わされる構成としてもよい。
【００４７】
図７Ａ、図７Ｂは、本実施形態に係る荷重分布計測装置７１０の詳細構成を説明するための図である。
【００４８】
図７Ａ（ａ）に示すように、荷重分布計測装置７１０は、床等の平坦面に設置された状態で、各感圧素子の表面が同一平面を形成するように構成されている一方で、図７Ａ（ｂ）に示すように、床等の平坦面に設置されていない状態では、３段に重ね合わせることができる構成となっている。
【００４９】
図７Ａ（ｃ）及び図７Ｂを用いて具体的に説明する。図７Ａ（ｃ）は、図７Ａ（ａ）に示す荷重分布計測装置７１０の一部（点線部分）を拡大して表示した様子を示している。なお、図７Ａ（ｃ）の上段の例は、荷重分布計測装置７１０の支持部材７１２が、荷重分布計測装置７１０の横方向の感圧素子の数の１／３の数（Ｍ／３）の感圧素子の幅に対応する幅のブロックにより形成された場合を示している。
【００５０】
各ブロック（ここでは、ブロック７０１、７０２と称す）は、それぞれ、横方向にＭ／３個の感圧素子を支持しており、縦方向に、荷重分布計測装置７１０の縦方向のすべての感圧素子（Ｎ個の感圧素子）を支持している。つまり、各ブロック７０１、７０２は、それぞれＮ行Ｍ／３列分の感圧素子を支持している。
【００５１】
また、ブロック７０１、７０２の側面には、隣接するブロックに対して平行移動させるための平行リンク機構（可動機構）７２１が接続されている（なお、平行リンク機構は、ブロック７０１、７０２の反対側の側面にも同様に接続されているものとする）。更に、当該平行リンク機構７２１は、各ブロック７０１、７０２に対してスライド可能に接続されている。
【００５２】
これにより、図７Ａ（ｃ）の上段に示す状態から、ブロック７０２を横方向にスライドさせ、ブロック７０１から所定距離だけ離したうえで、軸７２２を中心に平行リンク機構７２１を回動させることで、ブロック７０２を平行移動させることができる。
【００５３】
図７Ｂの上段及び中段は、ブロック７０２をブロック７０１に対して平行移動させている様子を示している。更に、図７Ｂの下段は、ブロック７０２がブロック７０１の上方に重ね合わされる直前の様子を示している。
【００５４】
加えて、同様の構成が、ブロック７０２の紙面右側に位置するブロック（図７Ａ、７Ｂにおいて不図示。ここでは、ブロック７０３と称す）にも設けられているものとする。これにより、ブロック７０２に対してブロック７０３を平行移動させ、ブロック７０２の上方に重ね合わせることが可能となり、図７Ａ（ｂ）のような、３段の重ね合わせを実現することができる。つまり、持ち運びに容易な荷重分布計測装置７１０を実現することが可能となる。
【００５５】
なお、本実施形態では、荷重分布計測装置７１０を横方向に３つに分割し、３段に重ね合わせる場合について説明したが、本発明はこれに限定されず、２つあるいは４つ以上に分割し、２段あるいは４段以上に重ね合わせる構成としてもよい。つまり、ｍ’個に分割し、ｍ’段に重ね合わせる構成としてもよい。
【００５６】
［第５の実施形態］
上記第４の実施形態では、各ブロックを平行移動させることで、ブロックを重ね合わせる構成としたが、本発明はこれに限定されない。例えば、隣接するブロック間を回動可能に接続することで、折り畳む構成としてもよい。
【００５７】
図８Ａ、図８Ｂは、本実施形態に係る荷重分布計測装置８１０の詳細構成を説明するための図である。
【００５８】
図８Ａ（ａ）に示すように、荷重分布計測装置８１０は、床等の平坦面に設置された状態では、各感圧素子の表面が同一平面を形成するように構成されている一方で、図８Ｂ（ｂ）に示すように、床等の平坦面に設置されていない状態では、２つに折り畳むことができる構成となっている。
【００５９】
図８Ａ（ｃ）及び図８Ｂを用いて具体的に説明する。図８Ａ（ｃ）は、図８（ａ）に示す荷重分布計測装置８１０の一部（点線部分）を拡大して表示した様子を示している。図８Ａ（ｃ）の上段に示すように、荷重分布計測装置８１０の支持部材８１２は、荷重分布計測装置８１０の横方向の感圧素子の数の１／２の数（Ｍ／２）の感圧素子の幅に対応する幅のブロックにより形成されている。
【００６０】
各ブロック（ここでは、ブロック８０１、８０２と称す）は、それぞれ、横方向にＭ／２個の感圧素子を支持しており、縦方向に、荷重分布計測装置８１０の縦方向のすべての感圧素子（Ｎ個の感圧素子）を支持している。つまり、各ブロック８０１、８０２は、それぞれ、Ｎ行Ｍ／２列分の感圧素子を支持している。
【００６１】
また、各ブロック８０１、８０２は、感圧素子を支持するための支持領域８３１に加え、他のブロックと接続するためのヒンジ機構（可動機構）８２１または８２２が配された接続領域８３２が設けられている。当該ヒンジ機構８２１、８２２は、他のブロックの感圧素子と隣接している感圧素子の表面端部（隣接している側の端部）を回動中心として回動するよう構成されている（なお、ヒンジ機構は、紙面奥側の接続領域（不図示）にも同様に設けられているものとする）。また、回動する部分はヒンジ機構でなくてもよく、繰り返し折り曲げることができる可塑材であってもよい。
【００６２】
このような構成により、図８Ａ（ｃ）の上段に示す状態から、ブロック８０１を回動させることが可能となる。図８Ａ（ｃ）の下段は、ブロック８０１を回動させている様子を示している。更に、図８Ｂは、回動が完了し、ブロック８０１がブロック８０２に対して折り畳まれた様子を示している。この結果、持ち運びに容易な荷重分布計測装置８１０を実現することが可能となる。
【符号の説明】
【００６３】
１００：荷重分布計測システム、１１０：荷重分布計測装置、１１１：荷重分布検出センサ部、１１２：支持部材、１２０：情報処理装置、１３０：ケーブル、４０１：第１の面、４０２：第２の面、４０３：ヒンジ機構、５０１：第１の面、５０２：第２の面、５０３：第３の面、５０４：第４の面、５０５：ヒンジ機構、５１０：荷重分布計測装置、５１２：支持部材、７０１：ブロック、７０２：ブロック、７１０：荷重分布計測装置、７１２：支持部材、７２１：平行リンク機構、７２２：軸、８０１：ブロック、８０２：ブロック、８１０：荷重分布計測装置、８１２：支持部材、８２１：ヒンジ機構、８２２：ヒンジ機構、８３１：支持領域、８３２：接続領域
【図１】
2014016168.tif 000003
【図２】
2014016168.tif 000004
【図４】
2014016168.tif 000005
【図５】
2014016168.tif 000006
【図６】
2014016168.tif 000007
【図７Ａ】
2014016168.tif 000008
【図７Ｂ】
2014016168.tif 000009
【図８Ａ】
2014016168.tif 000010
【図８Ｂ】
2014016168.tif 000011
【図３】
2014016168.tif 000012